(57)【特許請求の範囲】
【請求項１】
洋風便器の後部上面に固定設置される後半体及び該後半体に対し上下動可能に結合された前半体を有してなるロータンクカバーと、
該前半体に取り付けられた便座とを備えた便座支持昇降装置において、
該前半体の上下動を案内するガイドが設けられており、該前半体は該ガイドに対し摩擦摺動して上下動可能とされ、且つこの摩擦により任意高さにて停止可能となっている便器支持昇降装置であって、
コ字形の平面視形状を有する１対のガイドが該洋風便器に固定され、
スライダが該前半体に設けられ、
該スライダは両側部分にそれぞれフランジ部を有しており、
該スライダの両側の該フランジ部の各々が該１対のガイドの各々に挿入され、
各フランジ部に板バネが装着されており、該板バネが各スライダに弾性的に当接し、これら板バネとスライダとの摩擦によって該前半体が任意高さにて停止可能となっていることを特徴とする便座支持昇降装置。
【発明の詳細な説明】
【０００１】
【発明の属する技術分野】
本発明は、洋風便器に設置された便座を上下動可能とするための便座支持昇降装置に関する。詳しくは、ロータンクカバーの前半体を上下動させるようにした便座支持昇降装置に関する。
【０００２】
【従来の技術】
ロータンクカバーを有した洋風便器にあっては、ロータンクカバーと洋風便器上面との間に尿などの汚れが入り込んで臭気発生の原因となりがちである。そこで、特開平９−２８６１９号公報において、このロータンクカバーの前半体を上昇可能とし、前半体を上昇させて洋風便器上面を十分に清掃できるようにした便座支持昇降装置が提案された。
【０００３】
【発明が解決しようとする課題】
上記特開平９−２８６１９号公報の便座支持昇降装置は、モータによって前半体を上下させるものであるため、構成が複雑であり、コスト高である。
【０００４】
本発明は、構成がシンプルで安価な便座支持昇降装置を提供することを目的とする。
【０００５】
【課題を解決するための手段】
本発明の便座支持昇降装置は、洋風便器の後部上面に固定設置される後半体及び該後半体に対し上下動可能に結合された前半体を有してなるロータンクカバーと、該前半体に取り付けられた便座とを備えた便座支持昇降装置において、該前半体の上下動を案内するガイドが設けられており、該前半体は該ガイドに対し摩擦摺動して上下動可能とされ、且つこの摩擦により任意高さにて停止可能となっている便器支持昇降装置であって、コ字形の平面視形状を有する１対のガイドが該洋風便器に固定され、スライダが該前半体に設けられ、該スライダは両側部分にそれぞれフランジ部を有しており、該スライダの両側の該フランジ部の各々が該１対のガイドの各々に挿入され、各フランジ部に板バネが装着されており、該板バネが各スライダに弾性的に当接し、これら板バネとスライダとの摩擦によって該前半体が任意高さにて停止可能となっていることを特徴とするものである。
【０００６】
かかる便座支持昇降装置は、手動によってロータンクカバー前半体を上下動させるものであるから、構成がシンプルであり、安価である。また、該前半体は該ガイドに対し摩擦摺動して上下動可能とされ、且つこの摩擦により任意高さにて停止可能である。
【０００７】
【発明の実施の形態】
以下、図面を参照して実施の形態について説明する。第１図は実施の形態に係る便座支持昇降装置を備えた洋風便器の斜視図、第２図は第１図において手洗鉢及び前半体を取り外した状態の斜視図、第３図はガイド機構の斜視図、第４図はガイド機構のスライダの斜視図、第５図は上部案内片の斜視図、第６図は前半体を上昇させた状態の洋風便器の側面図である。
【０００８】
第１図の通り、この洋風便器１０は、後部上面にロータンクカバー１２が設置されている。このロータンクカバー１２は上下動可能な前半体１４と、洋風便器１０に固定設置された後半体１６と、これらの前半体１４及び後半体１６の頂部に着脱可能に冠着された手洗鉢１８とからなっている。この手洗鉢１８には手洗吐水部２２が設けられている。後半体１６の側面にはフラッシュレバー２０が設けられている。前半体１４の前面下部には、便座２４と便蓋２６とが上下方向回動可能に取り付けられている。
【０００９】
第２図の通り、ロータンクカバー１２内にはロータンク受台３２を介してロータンク３４が設置されている。このロータンク３４の上部にボールタップ３６が設けられており、ロータンク３４内の水位が低下すると該ボールタップ３６が開栓してロータンク３４内に水が補給される。このボールタップ３６には手洗吐水接続管３８が連なっており、この手洗吐水接続管３８は後半体１６の上面中央から上方に起立し、前記手洗吐水部２２に差し込まれるよう構成されている。
【００１０】
ロータンク３４内の下部にはフロート弁機構（図示略）が設けられている。前記フラッシュレバー２０を操作することにより該フロート弁が引き上げられ、ロータンク３４内の水が洋風便器１０の便鉢に放出される。ロータンク３４の前面側には回路基板４０，４２が設置されている。
【００１１】
ロータンク受台３２の下側に温水タンク４４が設置されており、洗浄ノズル５２，５４へ温水が供給可能とされている。
【００１２】
前半体１４の上下動を案内するための上部案内片４８が後半体１６の上部前縁に取り付けられている。また、ロータンク３４の前面中央に沿って１対のガイド４６が立設され、このガイド４６によって上下動が案内される昇降ベース５０が設置されている。前半体１４はこの昇降ベース５０上に設置されている。
【００１３】
前記洗浄ノズル５２，５４はこの昇降ベース５０に設置されている。ノズル５２，５４は、温水が供給されるとノズル本体が前進し、その先端から温水が斜め上方に噴出し、便座２４に着座した人体の臀部に温水が注ぎかけられる。なお、ノズル５２，５４のノズル本体はモータによって前進するタイプのものであってもよい。
【００１４】
この昇降ベース５０には、臀部を乾燥させるための温風を吹き出す温風乾燥装置５６等の機器も設置されている。
【００１５】
第３図の通り、前記ガイド４６はガイド取付板６０を介して洋風便器１０に固定される。このガイド取付板６０はＬ形であり、座部６０ａが洋風便器１０に固定され、起立部６０ｂにガイド４６が固定されている。
【００１６】
このガイド４６は、前片４６ａ、後片４６ｂ及びこれら前片４６ａと後片４６ｂとをつなぐ連結片４６ｃを有したコ字形の平面視形状のものである。前片４６ａと後片４６ｂとは平行であり、それらの間にスライダ６２のフランジ部６２ａが挿入されている。
【００１７】
このスライダ６２の前面に昇降ベース取付板６４がリベットやボルト、溶接などにより固着され、この昇降ベース取付板６４に昇降ベース５０が固定される。
【００１８】
第４図の通り、スライダ６２は左右に張り出すフランジ部６２ａを有している。このフランジ部６２ａの側端面から凹陥するように凹部６２ｂが設けられている。この凹部６２ｂは、入口側よりも奥側の方が幅広な略台形形状である。この凹部６２ｂに略Ω字形状の板バネ６６が装着されている。なお、第４図では、板バネ６６は１個だけ図示されているが、実際にはすべての凹部６２ｂに板バネ６６が装着されている。この板バネ６６は、ガイド４６の連結片４６ｃの内面に弾性的に当接しており、スライダ６２が上下動するときには板バネ６６が該連結片４６ｃに摩擦摺動する。この摩擦の程度は、前半体１４から手を離しても前半体１４が下降せず、任意高さにて停止しうる程度のものとなっている。
【００１９】
前記上部案内片４８は、後半体１６の前縁から所定長さ前方に延出している。第５図の通り、この案内片４８の前部には上下方向に貫通する案内孔７０が設けられている。この案内孔７０の内周面にＯリング７２が装着されている。
【００２０】
この案内孔７０に挿入され、Ｏリング７２と摺動する案内棒７４が前半体１４の上部に固定されている。この案内棒７４は上下２箇所にクリック溝７６，７８を有しており、前半体１４が下降限まで下降すると上側のクリック溝７６がＯリング７２と係合し、前半体１４が上昇限まで上昇すると、下側のクリック溝７８がＯリング７２と係合し、それぞれクリック感が発生する。
【００２１】
このように構成された便座支持昇降装置付きの洋風便器１０にあっては、通常時は前半体１４は下降限まで下降しており、前半体１４の上端と後半体１６の上端とは同一高さに揃う。この前半体１４及び後半体１６の上側に手洗鉢１８が被せられる。
【００２２】
前半体１４の下側の洋風便器１０上面を清掃するときには、第６図の如く手洗鉢１８を取り外し、前半体１４を持ち上げる。そうすると、スライダ６２がガイド４６に案内されて滑らかに上方に移動し、前半体１４が引き上げられる。そこで、前半体１４から手を離し、前半体１４の下方即ち昇降ベース５０の下方の洋風便器１０上面を清掃する。この間、板バネ６６とガイド４６の連結片４６ｃとの摩擦により、前半体１４はそのままの高さにて停止し続ける。
【００２３】
その後、前半体１４を押し下げ、次いで手洗鉢１８を前半体１４及び後半体１６の上に装着し、元通りとする。
【００２４】
このように、この便座支持昇降装置によると手動操作式に前半体１４を上下動させて洋風便器１０の後部上面を十分に清掃することができ、臭気発生を防止することができる。また、この便座支持昇降装置は構成がシンプルであり、安価である。
【００２５】
【発明の効果】
以上の通り、本発明によると手動操作によってロータンクカバーの前半体を引き上げることができ、洋風便器の後部上面を念入りに清掃して臭気発生を防止することができる。本発明の便座支持昇降装置は、構成が簡易であり、コストも安価である。
【図面の簡単な説明】
【図１】  実施の形態に係る便座支持昇降装置を備えた洋風便器の斜視図である。
【図２】  第１図において手洗鉢及び前半体を取り外した状態の斜視図である。
【図３】  ガイド機構の斜視図である。
【図４】  ガイド機構のスライダの斜視図である。
【図５】  上部案内片の斜視図である。
【図６】  前半体を上昇させた状態の洋風便器の側面図である。
【符号の説明】
１０  洋風便器
１２  ロータンクカバー
１４  前半体
１６  後半体
１８  手洗鉢
２４  便座
３４  ロータンク
４４  温水タンク
４６  ガイド
４８  上部案内片
５０  昇降ベース
５２，５４  洗浄ノズル
６２  スライダ
６４  昇降ベース取付板
６６  板バネ
７０  案内孔
７４  案内棒
【図１】
0003724314.tif 000002
【図２】
0003724314.tif 000003
【図３】
0003724314.tif 000004
【図４】
0003724314.tif 000005
【図５】
0003724314.tif 000006
【図６】
0003724314.tif 000007